(57)【要約】  【課題】システムキッチンにおける組み込み式冷蔵庫の有効配置と冷却能力を確保する。  【解決手段】システムキッチンにおいて外枠１０の上部にシンク１１を配置するとき、最下段の収納スペースに冷蔵庫を設置する場合、その構成は収納部１５とその左右どちらかに機械室１６を配設し、機械室１６の前方に埃除去用のフィルター２２と吸込みグリル１４Ｃを設けることにより、システムキッチン奥面にシンク１１の給排水管がある場合でも空間の温度環境を一定に保ち、かつ機械室１６に設けた冷却ユニット１８の放熱器１９の埃つまりを防止することで冷却能力を確保する吸排気が十分に行える。【選択図】図２
2006029737.tif 000002
【特許請求の範囲】
【請求項１】
システムキッチンの最下段の引き出しスペースに設置され、前面を開口した貯蔵室の左右どちらか一方に前記貯蔵室を冷却するための冷却ユニットを集中配置し、前記冷却ユニットを収納する機械室の前面に前記冷却ユニットの放熱部を冷却する空気の吸い込み口を設け、前記機械室と連通して前記冷却ユニットの放熱器の前方に埃除去用のフィルターを設け、前記機械室と連通して前記冷却ユニットの放熱器と埃除去用の前記フィルターの前方に吸い込み口つき化粧板を設けたことを特徴とするシステムキッチン組み込み式冷蔵庫。
【請求項２】
吸い込み口つき化粧板の後部に機械室に固定する止め具を設けたことを特徴とする請求項１記載のシステムキッチン組み込み式冷蔵庫。
【発明の詳細な説明】
【技術分野】
【０００１】
本発明はシステムキッチンの一区画の下部空間に収納できるよう構成した冷蔵庫の構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図６は、特許文献１に記載されたシステムキッチン用の保冷庫を示すものである。図６に示すように、台所収納体の組付け空間１に組み込まれる外ケース２に出し入れされる容器状の収納体３と，ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、シンク下に設置した場合、奥側にシンク用の給排水管がある為、冷却ユニットを収納空間の奥側に設けると奥行きのない収納部となり、また機械室の吸排気口より埃を吸い込み冷却ユニットの埃つまりにより冷却能力を確保されない課題を有していた。
【０００６】
本発明は、上記従来の課題を解決するもので、システムキッチンのシンク下部の、奥側に給排水管がある空間に収納でき、冷却ユニットの埃つまりをなくし機械室の給排気が十分に行えるよう構成したシステムキッチン組み込み式冷蔵庫を提供することを目的とする。
【課題を解決するための手段】
【０００７】
上記従来の課題を解決するために、本発明のシステムキッチン組み込み式冷蔵庫は、システムキッチンの最下段の引き出しスペースに設置され、前面を開口した貯蔵室の左右どちらか一方に前記貯蔵室を冷却するための冷却ユニットを集中配置し、前記冷却ユニットを収納する機械室の前面に前記冷却ユニットの放熱部を冷却する空気の吸い込み口を設け、前記機械室と連通して前記冷却ユニットの放熱器の前方に埃除去用のフィルターを設け、前記機械室と連通して前記冷却ユニットの放熱器と埃除去用の前記フィルターの前方に吸い込み口つき化粧板を設けたものである。
【０００８】
これによって、システムキッチンの奥面に給排水配管のある最下段の空間においても奥行き方向の収納スペースを確保できることとしたものである。また機械室の吸い込み口より埃を吸い込み冷却ユニットの埃つまりをなくし冷却能力を確保したものである。
【発明の効果】
【０００９】
本発明のシステムキッチン組み込み式冷蔵庫は、システムキッチン内の限られた空間において、システムキッチンの枠内に簡単にビルトイン設置でき、冷却能力を確保し、使い勝手の優れたシステムキッチン組み込み式冷蔵庫とすることができる。
【発明を実施するための最良の形態】
【００１０】
請求項１に記載の発明は、システムキッチンの最下段の引き出しスペースに設置され、前面を開口した貯蔵室の左右どちらか一方に前記貯蔵室を冷却するための冷却ユニットを集中配置し、前記冷却ユニットを収納する機械室の前面に前記冷却ユニットの放熱部を冷却する空気の吸い込み口を設け、前記機械室と連通して前記冷却ユニットの放熱器の前方に埃除去用のフィルターを設け、前記機械室と連通して前記冷却ユニットの放熱器と埃除去用の前記フィルターの前方に吸い込み口つき化粧板を設けたものであり、機械室の吸い込み口より吸い込む埃を除去し冷却ユニットの埃つまりをなくすことで冷却能力を確保することができる。
【００１１】
請求項２に記載の発明は、請求項１記載の発明において、吸い込み口つき化粧板の後部に機械室に固定する止め具を設けたものであり、吸い込み口つき化粧板と機械室間にフィルターを挟み込みフィルターの付け忘れを防止でき吸い込み口からの埃による冷却ユニットの埃つまりによる影響をなくし冷却能力を確保することができる。
【００１２】
以下、本発明の実施の形態について、図面を参照しながら説明する。なお、実施の形態によってこの発明が限定されるものではない。
【００１３】
（実施の形態１）
図１は、本発明の実施の形態１におけるシステムキッチン組立時の冷蔵庫の斜視図、図２は同実施例のシステムキッチン組み込み式冷蔵庫を前面に引き出したときの斜視図、図３は同実施例のシステムキッチン組み込み式冷蔵庫の機械室の上面図、図４は同実施例のシステムキッチン組み込み式冷蔵庫の冷却ユニットの断面図、図５は同実施例のシステムキッチン組み込み式冷蔵庫の機械室の前面の部分断面図である。
【００１４】
図１において、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その最下段の引き出しスペースに本発明のシステムキッチン組み込み式冷蔵庫１３が組み込まれている。システムキッチン組み込み式冷蔵庫の前面には、意匠パネルドアを形成する化粧板１４Ａ、吸込み口付き化粧板１４Ｂが構成されている。このような構成をすることにより、システムキッチンの外観意匠を損なわずにシステムキッチン組み込み式冷蔵庫１３を組み込むことができる。
【００１５】
また、図２においてシステムキッチン組み込み式冷蔵庫１３は大きくは収納部１５と、収納部１５の左右どちらか一方に冷却ユニットを集中配置した機械室１６で構成されている。収納部１５の前面には断熱扉１７があり断熱扉１７にはシステムキッチンの外観意匠を統一するために化粧板１４Ａが取り付けられている。機械室部１６の前面には吸込みグリル１４Ｃを一体成形した吸込み口付き化粧板１４Ｂが取り付けられている。
【００１６】
また、図３において、放熱器１９の前方には埃除去用のフィルター２２が設置されており、このフィルター２２は放熱器１９、ファンモータ２０、電源制御基板２１への埃，油分の付着を防ぐ役割をしている。フィルター２２の後方には、スイッチ２３が設置されており冬季、長期外出等冷蔵庫を使用しない場合はこのスイッチ２３でシステムキッチン組み込み式冷蔵庫１３を停止させることができる。
【００１７】
また、図４において、ペルチェ素子２５、冷却器２４とペルチェ素子２５の熱交換をさせるためのヒートコンダクタ２６、ペルチェ素子２５によって出された熱を排熱するための高温側の放熱器１９、冷却器２４、ペルチェ素子２５、ヒートコンダクタ２６、放熱器１９を連結するケースコンダクタ２７で構成されている。
【００１８】
また、図５において、埃除去用のフィルター２２と吸込みグリル１４Ｃを一体成形した吸込み口付き化粧板１４Ｂがあり、前記の吸込みグリル１４Ｃを一体成形した吸込み口付き化粧板１４Ｂには機械室部１６の上部と下部に固定する上部止め具２８と下部止め具２９で構成されている。
【００１９】
上記構成により、システムキッチン組み込み式冷蔵庫１３は、システムキッチンの最下段の引き出しスペース１２に設置され、前面を開口した貯蔵室の左右どちらか一方に前記貯蔵室を冷却するための冷却ユニットを集中配置しているので、システムキッチンの最下段の引き出しスペース１２の後部に配設される配管等のデッドスペースがある場合においても、貯蔵室の左右どちらか一方に前記貯蔵室を冷却するための冷却ユニットを集中配置した機械室１６を配置しているのでシステムキッチン全体のスペースの有効利用を図ることができる。
【００２０】
さらにまた、前記冷却ユニットを収納する機械室１６の前面に前記冷却ユニットの放熱部を冷却する空気の吸い込み口を設け、前記機械室と連通して前記冷却ユニットの放熱器の前方に埃除去用のフィルター２２を設け、前記機械室１６と連通して前記冷却ユニットの放熱器１９と埃除去用のフィルター２２の前方に吸い込み口つき化粧板１４Ｂを設けたことにより、前面から見た外観意匠を損なうことがない。また、吸込み口付き化粧板１４Ｂから吸込まれた空気はフィルター２２を通過し埃除去され、ペルチェ素子２５から出された熱を放熱器１９と熱交換し、ファンモータ２０により吸込まれ、電源制御基板を２１冷却する。放熱器１９と電源制御基板２１と熱交換した高温空気は台所空間に放出されるが、機械室１６の吸い込み口より吸い込む埃を除去し冷却ユニットの埃つまりをなくすことで冷却能力を確保することができる。
【００２１】
また、吸込みグリル１４Ｃを一体成形した吸込み口付き化粧板１４Ｂには機械室部１６の上部と下部に固定する上部止め具２８と下部止め具２９を設けたことにより、吸い込み口つき化粧板と機械室間にフィルターを挟み込みフィルターの付け忘れを防止でき吸い込み口からの埃による冷却ユニットの埃つまりによる影響をなくし冷却能力を確保することができる。
【産業上の利用可能性】
【００２２】
以上のように、本発明にかかる冷蔵庫は、限られた空間を有効に活用できるのでシステムキッチンなどのビルトイン機器に適用できる。
【図面の簡単な説明】
【００２３】
【図１】本発明の実施の形態１におけるシステムキッチン組立時の冷蔵庫の斜視図
【図２】本発明の実施の形態１におけるシステムキッチンに冷蔵庫を前面に引出した時の斜視図
【図３】本発明の実施の形態１における冷蔵庫の機械室１６の上面図
【図４】本発明の実施の形態１における冷蔵庫の冷却ユニットの断面図
【図５】本発明の実施の形態１における冷蔵庫の機械室１６の部分断面図
【図６】従来のシステムキッチン組み込み式保冷庫の斜視図
【符号の説明】
【００２４】
１３  システムキッチン組み込み冷蔵庫
１４Ｂ  吸込み口付き化粧板
１６  機械室
１８  冷却ユニット
１９  放熱器
２２  フィルター
２８  上部止め具
２９  下部止め具
【図１】
2006029737.tif 000003
【図２】
2006029737.tif 000004
【図３】
2006029737.tif 000005
【図４】
2006029737.tif 000006
【図５】
2006029737.tif 000007
【図６】
2006029737.tif 000008